(57)【特許請求の範囲】
【請求項１】
ストロボと、
主要被写体およびその周辺被写体の輝度を測光する測光手段と、
主要被写体までの距離を測距する測距手段と、
前記測光手段の測光結果に基づいて主要被写体が逆光状態か否かを判定する逆光判定手段と、
絞り値情報、フィルム感度に対応するＩＳＯ感度情報およびストロボの発光量情報に基づいて、ストロボ光の有効到達距離を演算する演算手段と、
選択可能なストロボ発光禁止モードを有するストロボ発光露出制御手段と、
前記測距手段が測距した主要被写体までの距離が前記演算手段により演算された有効到達距離以上の場合はストロボの発光を禁止する逆光時ストロボ発光禁止手段と、を備え、
前記ストロボ発光露出制御手段は、
前記ストロボ発光禁止モードが選択されていないときに前記逆光判定手段が逆光と判定し、かつ前記逆光時ストロボ発光禁止手段がストロボの発光を禁止していないときに、周辺被写体輝度と主要被写体輝度の輝度差が第１の所定値より大きいときは周辺被写体輝度から前記第１の所定値を減算し、前記輝度差が前記第１の所定値以下のときは前記周辺被写体輝度から前記輝度差を減算し、前記減算後の周辺被写体輝度に基づいて露出値を演算し、その演算した露出値によって、ストロボを発光させて露出すること、および
前記ストロボ発光禁止モードが選択されているときまたは前記逆光時ストロボ発光禁止手段がストロボの発光を禁止したときに前記逆光判定手段が逆光と判定したときに、周辺被写体輝度と主要被写体輝度の輝度差が前記第１の所定値より大きい第２の所定値より大きいときは前記周辺被写体輝度から前記第２の所定値を減算し、前記輝度差が前記第２の所定値以下のときは前記周辺被写体輝度から前記輝度差を減算し、前記減算後の周辺被写体輝度に基づいて露出値を演算し、その演算した露出値によって、ストロボを発光させないで露出すること、を特徴とするカメラの自動露出制御装置。
【請求項２】
請求項１記載のカメラの自動露出制御装置において、前記測光手段は、主要被写体の輝度を測光する主要被写体測光手段と、該主要被写体の周囲の被写体輝度を測光する周辺被写体測光手段とを備え、前記逆光判定手段は、該主要被写体測光手段が測光した主要被写体輝度と周辺被写体測光手段が測光した周辺被写体輝度との差が所定値以上ある場合に逆光状態であると判定するカメラの自動露出制御装置。
【請求項３】
請求項２記載のカメラの自動露出制御装置において、前記ストロボ発光露出制御手段は、主要被写体測光手段が測光した主要被写体輝度と前記周辺被写体測光手段が測光した周辺被写体輝度に基づいて露出値を演算する露出演算機能を有し、前記ストロボ発光露出制御手段は、前記周辺被写体輝度と主要被写体輝度の差を前記第１または第２の所定値以下の値で主要被写体がプラス露出となるように被写体輝度を補正するカメラの自動露出制御装置。
【請求項４】
請求項１ないし３の何れか１項記載のカメラの自動露出制御装置において、前記逆光時ストロボ発光禁止手段は、前記主要被写体輝度または周辺被写体輝度が所定値以下の場合は前記被写体までの距離にかかわらずストロボの発光を禁止しないカメラの自動露出制御装置。
【発明の詳細な説明】
【０００１】
【発明の技術分野】
本発明は、逆光時にストロボを自動発光可能なカメラの自動露出制御装置に関する。
【０００２】
【従来技術およびその問題点】
ストロボを内蔵し、逆光状態のときには露出時にストロボを自動発光させる逆光時ストロボ自動発光モードを備えたカメラが知られている。逆光の判断は、通常、撮影画面中央の主要被写体の輝度よりも、主要被写体を囲む周辺被写体の輝度の方が所定値以上高い場合に逆光と判断している。この従来の逆光時ストロボ自動発光モードは、逆光であると判断したときは、被写体の距離と関係なく、ストロボを自動発光させていた。そのため、主要被写体が遠い場合は主要被写体に対してはストロボ有効距離範囲外となってストロボの光量が不足して無駄な発光となりアンダー露出となるばかりか、電池を無駄に消費させることとなっていた。
また、レンズシャッタ式カメラの場合、逆光状態は測光値としては高輝度になるので撮影時の絞りは絞り込まれ、小絞りでのストロボ自動発光となるためストロボ光の有効距離がさらに短くなり、ストロボ発光が無駄になる可能性が高かった。
【０００３】
【発明の目的】
本発明は、かかる従来の逆光時ストロボ自動発光における問題に鑑みてなされたもので、逆光時において無駄なストロボ発光を減らすとともに、適正な露出を可能にするカメラの自動露出装置を提供することを目的とする。
【０００４】
この目的を達成する本発明は、ストロボと、主要被写体およびその周辺被写体の輝度を測光する測光手段と、主要被写体までの距離を測距する測距手段と、前記測光手段の測光結果に基づいて主要被写体が逆光状態か否かを判定する逆光判定手段と、絞り値情報、フィルム感度に対応するＩＳＯ感度情報およびストロボの発光量情報に基づいて、ストロボ光の有効到達距離を演算する演算手段と、前記測距手段が測距した主要被写体までの距離が前記演算手段により演算された有効到達距離以上の場合はストロボの発光を禁止する逆光時ストロボ発光禁止手段と、前記測光手段の測光結果及びＩＳＯ感度情報に基づいて露出値を演算し、その演算した露出値で露出するストロボ発光露出制御手段とを備え、前記ストロボ発光露出制御手段は、前記ストロボ発光禁止モードが選択されていないときに前記逆光判定手段が逆光と判定し、かつ前記逆光時ストロボ発光禁止手段がストロボの発光を禁止していないときに、周辺被写体輝度と主要被写体輝度の輝度差が第１の所定値より大きいときは周辺被写体輝度から前記第１の所定値を減算し、前記輝度差が前記第１の所定値以下のときは前記周辺被写体輝度から前記輝度差を減算し、前記減算後の周辺被写体輝度に基づいて露出値を演算し、その演算した露出値によって、ストロボを発光させて露出すること、および前記ストロボ発光禁止モードが選択されているときまたは前記逆光時ストロボ発光禁止手段がストロボの発光を禁止したときに前記逆光判定手段が逆光と判定したときに、周辺被写体輝度と主要被写体輝度の輝度差が前記第１の所定値より大きい第２の所定値より大きいときは前記周辺被写体輝度から前記第２の所定値を減算し、前記輝度差が前記第２の所定値以下のときは前記周辺被写体輝度から前記輝度差を減算し、前記減算後の周辺被写体輝度に基づいて露出値を演算し、その演算した露出値によって、ストロボを発光させないで露出することに特徴を有する。
前記測光手段は、主要被写体の輝度を測光する主要被写体測光手段と、該主要被写体の周囲の被写体輝度を測光する周辺被写体測光手段とを備え、前記逆光判定手段は、該主要被写体測光手段が測光した主要被写体輝度と周辺被写体測光手段が測光した周辺被写体輝度との差が所定値以上ある場合に逆光状態であると判定する。
前記ストロボ発光露出制御手段は、主要被写体測光手段が測光した主要被写体輝度と前記周辺被写体測光手段が測光した周辺被写体輝度に基づいて露出値を演算する露出演算機能を有し、前記ストロボ発光露出制御手段は、前記周辺被写体輝度と主要被写体輝度の差を前記第１または第２の所定値以下の値で主要被写体がプラス露出となるように被写体輝度を補正する。
本発明のカメラの自動露出制御装置において、前記逆光時ストロボ発光禁止手段は、前記主要被写体または周辺被写体輝度が所定値以下の場合は前記被写体までの距離にかかわらずストロボの発光を禁止しない。
【０００５】
【発明の実施の形態】
以下図面に基づいて本発明を説明する。図１（Ａ）は、本発明のカメラの自動露出制御装置をストロボ内蔵のレンズシャッタ式カメラに適用した実施形態の電気回路の要部をブロックで示す図、図１（Ｂ）は同実施形態の測光領域を模式的に示す図である。
【０００６】
このレンズシャッタ式カメラは、カメラ全体の動作を統括的に制御する制御機能、露出値、被写体までの距離などを演算する演算機能を有するＣＰＵ１１を備えている。このＣＰＵ１１は、バッテリBATTの電圧が昇圧回路（ＤＣ／ＤＣコンバータ）１３によって昇圧され、定電圧として供給された状態で動作する。ＣＰＵ１１には、駆動系として、内蔵ストロボのストロボ回路１５、シャッターを駆動するシャッタ駆動回路１７、フィルムを巻き上げるフィルム巻上モータ駆動回路１９が接続されている。ストロボ回路１５は、発光部としてフレネルレンズ、クセノン管、リフレクタ等を備えた内蔵ストロボを発光させるための回路であって、電荷を蓄積するメインコンデンサ、メインコンデンサを充電する充電回路、メインコンデンサを放電させてクセノン管を発光させ、また発光を停止させる発光制御回路を備えている。このストロボ回路１５は、ＣＰＵ１１からの制御信号を受けて動作する。
【０００７】
このカメラは、測光手段として、主要被写体の輝度を測光するメイン測光素子２１およびサブ測光素子２３の電流出力を電圧に変換し、主要被写体輝度信号としてＣＰＵ１１に出力するメイン測光回路２１ｃ、主要被写体の周囲の輝度を測光するサブ測光素子２３およびサブ測光素子２３の電流出力を電圧に変換し周辺被写体輝度信号としてＣＰＵ１１に出力するサブ測光回路２３ｃを備えている。図１（Ａ）に、撮影画面に対するメイン測光素子２１とサブ測光素子２３の測光エリアとの関係を示した。図示実施例ではメイン測光素子２１、サブ測光素子２３をそれぞれ１個としたが、複数個備える構成でもよい。
これらＣＰＵ１１、メイン測光素子２１、メイン測光回路２１ｃ、サブ測光素子２３、サブ測光回路２３ｃが逆光判定手段を構成している。つまりＣＰＵ１１は、測光回路２１ｃ、２３ｃからの主要被写体輝度信号および周辺被写体輝度信号に基づいて平均被写体輝度を求め、さらに主要被写体輝度信号および周辺被写体輝度信号の差から逆光かどうかを判断する。例えばＣＰＵ１１は、主要被写体輝度よりも周辺被写体輝度の方が所定値以上明るい場合を逆光と判断する。
【０００８】
さらにカメラは、測距手段として、測距回路２５を備えている。この測距回路２５は、いわゆる三角測量法を利用した測距手段を備え、測距手段の測距信号をＣＰＵ１１に出力する。測距手段は、いわゆるアクティブ方式なら、発光素子および受光素子を備え、発光素子で発光され、主要被写体で反射した測距光を受光素子で受光し、受光位置に応じた位置信号を受光素子がＣＰＵ１１に出力する構成のものを使用できる。ＣＰＵ１１は、入力した位置信号に基づいて基線距離を演算し、さらに基線距離から主要被写体までの距離を演算する。また、パッシブ方式いわゆる位相差式なら、主要被写体光を瞳分割した一対の被写体像をそれぞれラインセンサで受光し、光電変換して、一対の主要被写体像の輝度分布信号をＣＰＵ１１に出力する。ＣＰＵ１１は、一対の輝度分布信号に基づいて一対の主要被写体像間隔を演算し、像間隔から被写体までの距離を演算する。
なお、測距回路２５は、いずれの方式の場合であっても、メイン測光素子２１の測光エリア内の主要被写体に含まれる被写体領域について測距可能である。また、被写体までの距離は、被写体距離、撮影距離のいずれでもよく、カメラの任意の基点からの距離であればよい。
【０００９】
このレンズシャッタ式カメラは、スイッチ類として、メインスイッチＳＷＭＡＩＮ、測光スイッチＳＷＳおよびレリーズスイッチＳＷＲを備えている。メインスイッチはメインスイッチボタンと連動し、ＯＦＦしているときは、ＣＰＵ１１はストロボ回路１５および他の周辺回路等への電源をオフしてスリープ状態になり、オンするとストロボ回路１５および他の周辺回路等への電源をオンして撮影可能状態になる。測光スイッチＳＷＳおよびレリーズスイッチＳＷＲはシャッタボタンに連動して、シャッタボタンが半押しされたときに測光スイッチＳＷＳがオンし、シャッタボタンが全押しされたときに、測光スイッチＳＷＳがオン状態を維持してレリーズスイッチＳＷＲがオンする。ＣＰＵ１１は測光スイッチＳＷＳがオンすると測光、測距処理等を実行し、レリーズスイッチＳＷＲがオンすると露出処理を実行する。
【００１０】
レンズシャッタ式カメラにはさらに、装填されたフィルムのパトローネの表面に形成されたＤＸコードに接触して導通するＤＸ切片の組み合わせでＩＳＯ感度を読み込むＤＸ切片群２７、裏蓋が開閉したかどうかを検知する裏蓋スイッチＳＷＢＡＣＫ、自動露出モードを設定する自動露出モード設定スイッチＳＷＡＥＭＯＤＥ、自動焦点モードを設定する自動焦点モード設定スイッチＳＷＡＦＭＯＤＥを備えている。ＣＰＵ１１は、これらのスイッチのオン／オフ状態を検知して、次のような処理、設定をする。ＤＸ切片群２７の信号レベルの組み合わせからＩＳＯ感度を識別してＩＳＯ感度を設定する。自動露出モード設定スイッチＳＷＡＥＭＯＤＥがオンされる毎に、露出モードを、ストロボ自動発光モード、赤目防止自動発光モード、ストロボ発光禁止モード、逆光時ストロボ自動発光モード、シャッタ長秒時連動モード（スローシャッタ・ストロボ発光禁止）等のモードを循環して変更し、設定する。自動焦点モード設定スイッチＳＷＡＦＭＯＤＥがオンされる毎に、通常撮影モードと遠景撮影モード（ストロボ発光禁止）を交互に選択し設定する。
【００１１】
さらにこのカメラは、内蔵ストロボの充電中、充電完了状態を表示する赤ランプ２９を備えている。この赤ランプ２９は通常発光ダイオードで構成され、カメラボディ背面のアイピース枠の側に設けられる。
このレンズシャッタ式カメラは通常のカメラが備える機能を備えているが、この発明の理解には不要なのでそれらの図示および説明は省略する。
【００１２】
本発明の実施の形態において、遠景撮影モードは、ストロボの発光を禁止し、主要被写体が逆光のときは主要被写体輝度を第１の所定値を限度として輝度差分補正する。第１の所定値は、本実施例では１Ｅｖ相当である。
逆光時ストロボ自動発光モードは、主要被写体が逆光と判定されたときにストロボを自動発光させるモードであって、本実施の形態は、主要被写体がストロボ有効距離よりも遠くに位置するときはストロボの発光を禁止するとともに、主要被写体輝度を第２の所定値を限度として輝度差分補正する。この第２の所定値は第１の所定値よりも大きい（明るい）値であって、本実施例では２Ｅｖ相当である。
また、本実施形態において、逆光時ストロボ発光モードにおいて、逆光かつ主要被写体がストロボ有効距離よりも遠くに位置していても、周辺被写体輝度が所定の輝度よりも低い場合は、ストロボの発光は禁止しない。
【００１３】
このカメラの露出連動範囲をダイヤグラムにして図２に示した。同ダイヤグラムにおいて、縦軸左の数字はアペックス表示の絞り値ＡｖおよびＦナンバーを表し、横軸はシャッタ速度（秒）を表している。右下がり線はアペックス表示の露出値Ｅｖを表していて、この右下がり線上の座標が、その露出値Ｅｖとなる絞り値Ａｖおよびシャッタ速度Ｔｖの組み合わせを示している。絞りとシャッタ速度で決まる露出値をＥｖｓとすると、
Ｅｖｓ＝Ａｖ＋Ｔｖ＝ｌｏｇ2（Ｆｎｏ×Ｔ）2
となる。
【００１４】
図２において右側の縦軸の数字は、その絞り値Ａｖにおいて、内蔵ストロボ光の有効到達距離（ｍ）、すなわち、有効なストロボ照射が可能な被写体の距離である。この実施形態の内蔵ストロボは、ＩＳＯ１００におけるガイドナンバーＧｎｏが１１、アペックス表示値Ｇｖが７である。以下、フィルム感度がＩＳＯ１００の場合について説明する。
ストロボ到達距離（ｍ）は、ストロボのガイドナンバーＧｎｏと、設定露出値Ｅｖに基づいて設定された絞り値Ａｖに対応するＦナンバーＦｎｏとにより決まる値であって、式
Ｇｎｏ／Ｆｎｏ
により求まる。
【００１５】
このカメラのレンズシャッタは、絞り連動範囲が、アペックス表示の絞り値Ａｖでは５〜９、ＦナンバーではＦ５．６〜Ｆ２２であり、シャッタ速度連動範囲は、図示の都合上、低速側を１／１６秒、高速側を１／３００秒、アペックス表示のシャッタ速度Ｔｖでは４〜８＋１／４としてある。実線ＦＭ１は、このカメラのプログラムラインである。フラッシュマチック方式による連動範囲（ＦＭ連動範囲）は、プログラムラインＦＭ１上および上方の領域となる。
【００１６】
図２において、破線ＦＭ２は、ストロボ光の有効到達距離の限界を示し、同破線ＦＭ２よりも下方の領域は、被写体の距離が遠すぎるのでストロボの発光を禁止するストロボ発光禁止領域を示している。本実施の形態では、被写体輝度に応じて設定される絞り値によって決まるストロボ有効到達限界距離よりも測距した被写体距離が１Ｅｖ相当遠い場合をストロボ到達距離境界ＦＭ２としてある。
【００１７】
本実施例では、ストロボ発光禁止領域では、ストロボの発光禁止による露出量の減少を補填するために、遠景撮影露出補正よりも大きい露出補正を行うことに特徴を有する。
【００１８】
また、このカメラの通常の自動発光モード、すなわち低輝度時自動発光モードでは、シャッタ速度が所定値よりも遅くなるときに、手ブレ防止のために、フラッシュマチック方式によりストロボを自動発光させる。この実施例では、シャッタ速度（１／Ｔ）が約１／４０秒、露出値Ｅｖｓｆ1が１０．５のときを境界として、これよりもシャッタ速度が遅くなるときは内蔵フラッシュを自動発光させている。
【００１９】
次に、このカメラの主要動作にさらに図３、４、５に示したフローチャートを参照して説明する。図３は、このカメラのメイン処理である。この処理は、バッテリＢＡＴＴが装填された状態で実行される。
【００２０】
『メイン処理』
「電源スイッチオフ」
メイン処理に入ると、電源スイッチがオンしているかオフしているかチェックする（Ｓ１０１）。オフしていれば赤ランプ２９を消灯させて、ストロボ回路１５に充電動作を停止させ、他の周辺機器への電源供給を遮断して低消費電力モードに移行する（Ｓ１０１；OFF、Ｓ１０３、Ｓ１０５、Ｓ１０７）。この低消費電力モードでは、ＣＰＵ１１自体は低速クロックにより動作可能状態にあり、定期的に起動して電源スイッチ状態をチェックする処理を繰り返す。
【００２１】
「電源スイッチオン」
電源スイッチがオンしたら（Ｓ１０１；ON）、測光スイッチＳＷＳおよびレリーズスイッチＳＷＲの両方がＯＦＦしているかどうかをチェックするＳ１０９）。いずれもＯＦＦしている場合は、ストロボ回路１５にストロボ充電を開始させると共に、他の周辺回路の電源もＯＮする（Ｓ１０９；OFF、Ｓ１１１）。そして、ストロボ回路１５がフル充電したかどうかをチェックし（Ｓ１１３）、フル充電していなければＳ１０１に戻り（Ｓ１１３；Ｎ、Ｓ１０１）、フル充電していれば赤ランプ２９を消灯させ、ストロボ回路１５の充電処理を停止させてＳ１０１に戻る（Ｓ１１３；Ｙ、Ｓ１１５、Ｓ１１７、Ｓ１０１）。つまり、電源スイッチがＯＮしている間は、ストロボ充電を継続し、フル充電状態を保つ。
【００２２】
「測光スイッチＳＷＳオン」
測光スイッチＳＷＳがＯＮすると（Ｓ１０９；SWS ON）、ストロボの充電処理を停止し（Ｓ１１９）、測光して主要被写体輝度および周辺被写体輝度信号を入力し（Ｓ１２１）、測距して被写体距離を演算する（Ｓ１２３）。さらに逆光判定し（Ｓ１２９）、露出演算をする（Ｓ１３１）。
【００２３】
「ストロボを発光させる場合」
次に、ストロボを発光させるか否かをストロボ発光フラグに“１”がセットされているか否かで判定する（Ｓ１３３）。ストロボ発光フラグに“１”がセットされるのは、ストロボ強制発光モードの他に、逆光時ストロボ自動発光モードにおいて逆光と判定されたとき、ストロボ自動発光モードにおいて露出値Ｅｖが発光切り替え基準Ｅｖ値以下であった場合等である。
【００２４】
ストロボを発光させる場合は（Ｓ１３３；Ｙ）、赤ランプ２９を第１の周期（４Hz）で点滅させ（Ｓ１３５）、ストロボ充電を開始させてからフル充電か否かチェックする（Ｓ１３７、Ｓ１３９）。赤ランプ２９が第１の周期で点滅することにより、撮影者は充電中であると認識できる。フル充電でない場合は測光スイッチＳＷＳがＯＮしているかどうかをチェックし（Ｓ１３９；Ｎ、Ｓ１４１）、測光スイッチＳＷＳがＯＮしている場合はＳ１３７に戻ってストロボ充電を継続する（Ｓ１４１；ON、Ｓ１３７）。
【００２５】
フル充電である場合は（Ｓ１３９；Ｙ）、赤ランプ２９を点灯（連続点灯）させてストロボ充電が完了した旨を表示し、ストロボ充電を停止させてＳ１４９に進む（Ｓ１４３、Ｓ１４５、Ｓ１４９）。そして測光スイッチＳＷＳおよびレリーズスイッチＳＷＲの状態をチェックする（Ｓ１４９）。
なお、Ｓ１４１のチェックにおいて測光スイッチＳＷＳがオフしている場合はＳ１０１に戻り（Ｓ１４１；OFF、Ｓ１０１）、その後電源スイッチＳＷＭＡＩＮがＯＮしていればＳ１０１〜Ｓ１１３の処理によって、赤ランプ２９の点滅を継続した状態でストロボをフル充電させ、フル充電させると赤ランプ２９を消灯させてストロボ充電を終了させる（Ｓ１１３；Ｙ、Ｓ１１５、Ｓ１１７）。
【００２６】
測光スイッチＳＷＳがＯＮしている間は、レリーズスイッチＳＷＲがＯＮするのを待つ（Ｓ１４９；SWS ON & SWR OFF）。測光スイッチＳＷＳがＯＦＦすると、赤ランプ２９を消灯させてからＳ１０１に戻る（Ｓ１４９；SWS OFF、Ｓ１５１、Ｓ１０１）。赤ランプ２９が消えることで、撮影者はストロボは発光しないことが分かる。
【００２７】
「露出処理」
レリーズスイッチＳＷＲがＯＮすると、赤ランプ２９を消灯させる（Ｓ１４９；SWR & SWS ON、Ｓ１５３）。そして、ストロボ発光であるかどうかをチェックし（Ｓ１５５）、ストロボ発光であればストロボを発光させての露出値によりストロボを発光させて露出作動し（Ｓ１５５；Ｙ、Ｓ１５７）、フィルムを巻き上げ（Ｓ１６１）、Ｓ１０１に戻る。
【００２８】
ストロボを発光させない場合（Ｓ１３３；Ｎ）は、赤ランプ２９を消灯させてから測光スイッチＳＷＳおよびレリーズスイッチＳＷＲの状態をチェックする（Ｓ１４７、Ｓ１４９）。そしてレリーズスイッチＳＷＲがＯＮしたら（Ｓ１４９；SWS & SWR ON）、赤ランプ２９を消灯させ、ストロボを発光させないときの露出値でストロボを発光させずに露出動作し、フィルムを巻き上げてＳ１０１に戻る（Ｓ１５３、Ｓ１５５；Ｎ、Ｓ１５９、Ｓ１６１、Ｓ１０１）。
【００２９】
『逆光判定処理』
次に、Ｓ１２９で実行される逆光判定処理について、さらに図４に示したフローチャートを参照して詳細に説明する。
逆光判定処理に入ると、先ず、主要被写体輝度Ｂｖ_ｍａｉｎと周辺被写体輝度Ｂｖ_ｓｕｂの輝度差ΔＢｖを求める（Ｓ２０１）。そして、輝度差ΔＢｖが所定値である１Ｅｖ以上あるかどうかをチェックする（Ｓ２０３）。つまり、本実施例では、輝度差ΔＢｖが１Ｅｖ以上あるときは逆光と判定し、１Ｅｖ以上ないときは逆光とは判定しない。
輝度差ΔＢｖが１Ｅｖ以上あったとき（周辺被写体輝度Ｂｖ_ｓｕｂの方が１Ｅｖ相当以上高い（明るい）とき）は、ストロボ発光フラグに“１”をセットしてＳ２１１に進み（Ｓ２０３；Ｙ、Ｓ２０５、Ｓ２１１）、輝度差ΔＢｖが１Ｅｖ以上ないときは輝度差ΔＢｖを０に書き換え、ストロボ発光フラグに“０”をセットしてＳ２１１に進む（Ｓ２０３；Ｎ、Ｓ２０７、Ｓ２０９、Ｓ２１１）。
つまり、逆光と判定したときはストロボ発光フラグに“１”がセットされ、露出時にストロボ発光を可能にする。
【００３０】
Ｓ２１１では、主要被写体の測距値がストロボ到達距離以上であるかどうかをチェックする。ストロボ到達距離（ｍ）は、ＩＳＯ感度に応じたストロボのガイドナンバーＧｎｏと、設定露出値Ｅｖに基づいて設定された絞り値Ａｖに対応するＦナンバーＦｎｏとにより決まる値であって、式
Ｇｎｏ／Ｆｎｏ
により求められている。
【００３１】
「逆光かつ測距値がストロボ到達距離以上でない場合」
測距した主要被写体の距離がストロボ到達距離以上でない場合（Ｓ２１１；Ｎ）は、遠景撮影モードでなく（Ｓ２１３；Ｎ）、裏蓋が開かれておらずかつフィルム無しでないことを条件に（Ｓ２１５；Ｎ）、露出補正するためのリミット補正値ΔＢｖｌｉｍｉｔに所定値として１Ｂｖをセットする（Ｓ２１７）。
そして、輝度差ΔＢｖがリミット補正値ΔＢｖｌｉｍｉｔよりも大きいかどうか比較し（Ｓ２２３）、輝度差ΔＢｖの方が大きければ輝度差ΔＢｖをリミット補正値ΔＢｖｌｉｍｉｔの値で書き換えてＳ２２７に進み（Ｓ２２３；Ｙ、Ｓ２２５、Ｓ２２７）、輝度差ΔＢｖの方が大きくなければそのままＳ２２７に進む（Ｓ２２３；Ｎ、Ｓ２２７）。
【００３２】
Ｓ２２７では、周辺被写体輝度Ｂｖ_ｓｕｂから輝度差ΔＢｖを差し引いた値を被写体輝度Ｂｖとして設定する。そして、被写体輝度Ｂｖが最小輝度Ｂｖｍｉｎ未満であるかどうかを比較し、未満でなければそのままリターンし（Ｓ２２９；Ｎ）、未満であれば被写体輝度Ｂｖを最小輝度Ｂｖｍｉｎの値で書き換えて設定してリターンする（Ｓ２２９；Ｙ、Ｓ２３１）。
以上の処理により、逆光かつ被写体の距離がストロボ到達距離未満のときは、周辺被写体輝度Ｂｖ_ｓｕｂから輝度差Ｂｖ（最大１Ｅｖ）を減算した輝度を被写体輝度Ｂｖとして設定し、かつストロボを発光させる。
【００３３】
「逆光かつ測距値がストロボ到達距離以上の場合」
測距値がストロボ到達距離以上の場合は、ストロボを発光させても適正露出値とならない。そこで、測距値がストロボ到達距離以上の場合はストロボ発光フラグに“０”をセットしてストロボ発光を禁止させる（Ｓ２１１；Ｙ、Ｓ２１９）。そして、リミット補正値ΔＢｖｌｉｍｉｔに第２の所定値である２ＥｖをセットしてＳ２２３に進む（Ｓ２２１、Ｓ２２３）。つまり、被写体がストロボ到達距離よりも遠くに位置する場合は、リミット補正値ΔＢｖｌｉｍｉｔを通常の第１の所定値の２倍の値にするのである。また、裏蓋が開かれているか、フィルムが無い場合も（Ｓ２１５；Ｙ）、ストロボ発光フラグに“０”をセットし（Ｓ２１９）、リミット補正値ΔＢｖｌｉｍｉｔに２ＢｖをセットしてＳ２２３に進む（Ｓ２２１、Ｓ２２３）。
【００３４】
そして、輝度差ΔＢｖがリミット補正値ΔＢｖｌｉｍｉｔよりも大きいかどうか比較し（Ｓ２２３）、輝度差ΔＢｖの方が大きければ輝度差ΔＢｖをリミット補正値ΔＢｖｌｉｍｉｔの値で書き換えてＳ２２７に進み（Ｓ２２３；Ｙ、Ｓ２２５、Ｓ２２７）、輝度差ΔＢｖの方が大きくなければそのままＳ２２７に進む（Ｓ２２３；Ｎ、Ｓ２２７）。
【００３５】
Ｓ２２７では、周辺被写体輝度Ｂｖ_ｓｕｂから輝度差ΔＢｖを減算した値を被写体輝度Ｂｖとして設定する。そして、被写体輝度Ｂｖが最小輝度Ｂｖｍｉｎ未満であるかどうかを比較し、未満でなければそのままリターンし（Ｓ２２９；Ｎ）、未満であれば被写体輝度Ｂｖを最小輝度Ｂｖｍｉｎの値で書き換えて設定してリターンする（Ｓ２２９；Ｙ、Ｓ２３１）。
以上の処理により、逆光かつ被写体の距離がストロボ到達距離以上のときは、ストロボを発光させず、周辺被写体輝度Ｂｖ_ｓｕｂから輝度差Ｂｖ（最大２Ｅｖ）を減算した輝度、つまりプラス露出となるように補正した輝度を被写体輝度Ｂｖとして設定する。
【００３６】
なお、本実施例では、逆光である無し、測距値がストロボ到達距離未満である場合にかかわらず、遠景撮影モードが設定されている場合（Ｓ２１３；Ｙ）、裏蓋が閉じられていないかフィルムが装填されていない場合（Ｓ２１５；Ｙ）はＳ２１９においてストロボ発光フラグに“０”がセットされるので、ストロボは発光されない。この場合、リミット補正値ΔＢｖｌｉｍｉｔには２Ｂｖがセットされる（Ｓ２２１）。
【００３７】
『露出演算処理』
次に、Ｓ１３１で実行される露出演算処理について、さらに図５を参照して詳細に説明する。演算処理に入ると、まず、ＤＸ切片群２７を介して入力したＤＸコードをアペックス表示のフィルム感度Ｓｖに変換し（Ｓ３０１）、このフィルム感度Ｓｖと測光した被写体輝度Ｂｖから適正露出値Ｅｖを求める（Ｓ３０３）。次に、撮影モードがストロボ発光オートかどうかをチェックする（Ｓ３０５）。
【００３８】
「ストロボ発光オートの場合」
ストロボ発光オートの撮影モード、例えばストロボ自動発光モードまたは逆光時ストロボ自動発光モードの場合は、撮影モードがオートの場合は、露出値Ｅｖが発光切換値Ｅｖ_ｆ1以下かどうかをチェックする（Ｓ３０５；Ｙ、Ｓ３０７）。
発光切換基準値Ｅｖ_ｆ1は、ストロボを発光させるか発光させないかの境界値となる発光切換基準値Ｅｖのことであって、本実施例では図２に示すように１０．５である。
発光切換基準値Ｅｖ_ｆ1以下の場合は、ストロボを発光させるストロボ発光フラグに“１”をセットしてＳ３１１に進み（Ｓ３０７；Ｙ、Ｓ３０９、Ｓ３１１）、発光切換基準値Ｅｖ_ｆ1以下でない場合は、Ｓ３０９をスキップしてＳ３０９に進む（Ｓ３０７；Ｎ、Ｓ３１１）。
【００３９】
Ｓ３１１では、設定露出値Ｅｖが、最小露出値Ｅｖ_ｍｉｎ_ａ以下かどうかをチェックする。ここで最小露出値Ｅｖ_ｍｉｎ_ａとは、ストロボ自動発光モード、ストロボ強制発光モード時における下限露出値Ｅｖのことである。本実施例では、ＩＳＯ１００における最小露出値Ｅｖ_ｍｉｎ_ａ時のシャッタ速度Ｔｖは１／１６秒になる。
設定露出値Ｅｖが最小露出値Ｅｖ_ｍｉｎ_ａ以下の場合は、設定露出値Ｅｖを最小露出値Ｅｖ_ｍｉｎ_ａの値に書き換えてＳ３２３に進み（Ｓ３１１；Ｙ、Ｓ３１３、Ｓ３２３）、以下でない場合はそのままＳ３２３に進む（Ｓ３１１；Ｎ、Ｓ３２３）。
【００４０】
Ｓ３２３では、設定露出値Ｅｖが上限露出値Ｅｖ_ｍａｘ以上であるかどうかをチェックする。以上であれば設定露出値Ｅｖを上限露出値Ｅｖ_ｍａｘで書き換えてリターンし（Ｓ３２３；Ｙ、Ｓ３２５）、以上でなければそのままリターンする（Ｓ３２３；Ｎ）。Ｓ３２３、Ｓ３２５の処理は露出値Ｅｖの上限値を制限する処理である。
【００４１】
「ストロボ強制発光モードの場合」
ストロボ発光オートでない場合は、撮影モードが強制発光モードか否かをチェックする（Ｓ３０５；Ｎ、Ｓ３１５）。強制発光モードの場合はＳ３０９に進み（Ｓ３１５；Ｙ）、Ｓ３０９〜Ｓ３１３の処理を経てＳ３２３に進む。
【００４２】
「ストロボオートでも強制発光でも無い場合」
ストロボオート、強制発光モードでない場合は（Ｓ３０５；Ｎ、Ｓ３１５；Ｎ）、ストロボ発光フラグに“０”をセットし（Ｓ３１７）、設定露出値Ｅｖが発光禁止モードにおける下限露出値Ｅｖ_ｍｉｎｓ以下かどうかをチェックする（Ｓ３１９）。下限露出値Ｅｖ_ｍｉｎｓは、このカメラの開放絞り値と最長シャッタ秒時とで決まる露出値Ｅｖである。なお、本実施例では、ＩＳＯ１００における下限露出値Ｅｖ_ｍｉｎｓ時のシャッタ速度Ｔｖは２秒になる。設定露出値Ｅｖが下限露出値Ｅｖ_ｍｉｎｓ以下の場合は設定露出値Ｅｖを下限露出値Ｅｖ_ｍｉｎｓで書き換えてＳ３２３に進み（Ｓ３１９；Ｙ、Ｓ３２１、Ｓ３２３）、以下でない場合はそのままＳ３２３に進む（Ｓ３１９；Ｎ、Ｓ３２３）。Ｓ３１９、Ｓ３２１の処理は、設定露出値Ｅｖの下限値制限処理である。
Ｓ３２３に進むと、Ｓ３２３、Ｓ３２５の上限値制限処理を経てリターンする。
なお、ストロボオート、強制発光モードでない場合はストロボ発光禁止であり、例えばシャッタ長秒時連動モードなどがある。
【００４３】
以上の本発明の実施形態によれば、逆光時ストロボ自動発光モードにおいて、逆光と判定したとき主要被写体の距離がストロボ光到達有効距離よりも遠い場合はストロボの発光を禁止するので、無駄なストロボ発光が無くなり、電池の消耗を防止できる。さらにストロボの発光を禁止したときは、主要被写体の輝度に合わせて露出補正するので、主要被写体について適正露出が可能になる。さらに本発明の実施例では、逆光と判定しても被写体輝度が所定値よりも低いときは、被写体の距離にかかわらずストロボ発光を禁止せず発光させるので、撮影者がカメラ、ストロボの故障だと誤解することが無くなる。
【００４４】
以上、本発明についてストロボ内蔵のレンズシャッタ式カメラに適用した実施形態に基づいて説明したが、本発明は、ストロボのガイドナンバー情報を入力できれば外付けストロボにも適用できる。
【００４５】
【発明の効果】
以上の説明から明らかな通り本発明は、逆光時に主要被写体がストロボ光の有効到達距離よりも遠くに位置した場合、ストロボの発光を禁止するので、無駄な発光が無くなり、電池使用量を抑えて電池寿命を延ばすことができる。さらにこの場合、主要被写体に対して適正露出となるように露出補正するので、逆光時にストロボを発光させない場合も、主要被写体に対して適正露出が可能になる。
【図面の簡単な説明】
【図１】（Ａ）は本発明のカメラの自動露出制御装置をストロボ内蔵のレンズシャッタ式カメラに適用した実施形態の電気回路の要部をブロックで示す図、（Ｂ）は同実施形態の測光エリアを模式的に示す図である。
【図２】同カメラの露出連動範囲をダイヤグラムとして示す図である。
【図３】同カメラの主要動作をフローチャートで示す図である。
【図４】同カメラの露出演算動作をフローチャートで示す図である。
【図５】同カメラの逆光判定動作をフローチャートで示す図である。
【符号の説明】
１１  ＣＰＵ（演算手段、逆光判定手段、逆光時ストロボ発光禁止手段、ストロボ発光露出制御手段）
１３  昇圧回路（ＤＣ／ＤＣコンバータ）
１５  ストロボ回路（ストロボ）
１７  シャッタ駆動回路
１９  フィルム巻上モータ駆動回路
２１  メイン測光素子（測光手段、主要被写体輝度測光手段）
２１ｃ  メイン測光回路
２３  サブ測光素子（測光手段、周辺被写体輝度測光手段）
２３ｃ  サブ測光回路
２５  測距回路（測距手段）
２７  ＤＸ切片群
２９  赤ランプ
【図１】
0004897153.tif 000002
【図２】
0004897153.tif 000003
【図３】
0004897153.tif 000004
【図４】
0004897153.tif 000005
【図５】
0004897153.tif 000006